(57)【特許請求の範囲】
【請求項１】
自発光する画素を複数備え、前記画素を選択的に発光させることによって画像を表示する画像表示装置であって、
複数の小発光部に分割して形成される前記画素と、
前記小発光部の前記画素内における配置位置に応じた所定の角度方向に前記小発光部の発光光を射出する射出方向選択手段と、
鑑賞者の位置を示す鑑賞者位置情報に基づいて、前記発光光が前記鑑賞者に到達可能な前記小発光部のみを選択的に発光させる制御手段と、
前記鑑賞者位置情報を取得する鑑賞者位置検出手段と
を備えることを特徴とする画像表示装置。
【請求項２】
複数の前記小発光部は互いに異なる色の前記発光光を発光可能な複数のグループに分けられており、所定の一箇所の前記鑑賞者に対して、各前記グループを構成するいずれか１つの前記小発光部の前記発光光が到達可能とされていることを特徴とする請求項１記載の画像表示装置。
【請求項３】
前記グループは、各々少なくとも５つ以上の前記小発光部を備えることを特徴とする請求項２記載の画像表示装置。
【請求項４】
複数の前記グループは、前記画素内において鉛直方向に沿って配列されていることを特徴とする請求項２または３記載の画像表示装置。
【請求項５】
複数の前記グループは、前記画素内において水平方向に配列されていることを特徴とする請求項２または３記載の画像表示装置。
【請求項６】
同一の前記グループにおいて隣合う前記小発光部の両方の前記発光光が所定の一箇所の前記鑑賞者に対して到達される場合の輝度と、同一の前記グループにおいて隣合う前記小発光部のいずれかの前記発光光が所定の一箇所の前記鑑賞者に対して到達される場合の輝度との差が５０％以内とされていることを特徴とする請求項２〜５いずれかに記載の画像表示装置。
【請求項７】
所定の一箇所の前記鑑賞者に対して前記発光光が到達可能な前記小発光部のうち少なくとも一部は、同一直線に沿って配列されていることを特徴とする請求項１〜６いずれかに記載の画像表示装置。
【請求項８】
位置が画像表示面の端部に近づくに従って前記射出方向選択手段は、前記小発光部の前記発光光を前記表示面の中心軸寄りに射出することを特徴とする請求項１〜７いずれかに記載の画像表示装置。
【請求項９】
前記射出方向選択手段は、シリンドリカルレンズであることを特徴とする請求項１〜８いずれかに記載の画像表示装置。
【請求項１０】
前記小発光部の発光強度が可変とされていることを特徴とする請求項１〜９いずれかに記載の画像表示装置。
【請求項１１】
前記小発光部が有機ＥＬ素子によって構成されていることを特徴とする請求項１〜１０いずれかに記載の画像表示装置。
【請求項１２】
前記画素と前記射出方向選択手段との相対的な位置が移動可能とされていることを特徴とする請求項１〜１１いずれかに記載の画像表示装置。
【発明の詳細な説明】
【技術分野】
【０００１】
本発明は、画像表示装置に関するものである。
【背景技術】
【０００２】
従来から、自発光する画素を複数備え、これらの画素を選択的に発光させることによって画像を表示するいわゆる自発光型ディスプレイが用いられている。このような自発光型ディスプレイの具体例としては、例えば、ブラウン管、プラズマディスプレイ、有機ＥＬ（エレクトロルミネッセンス）ディスプレイ等が挙げられる。
このような自発光ディスプレイにおいては、より広い視野角を得ようとする結果、各画素の発光光を広い範囲に分散させている。
【特許文献１】特開平５−２９９０２２号公報
【発明の開示】
【発明が解決しようとする課題】
【０００３】
ところで、近年のディスプレイの大型化に伴い、自発光型ディスプレイも大型化されており、自発光型ディスプレイにおける消費電力の増大が問題視されている。
一方で、各画素の発光光を広い範囲に分散させているがために、各画素の発光光のほんの一部しか鑑賞者の眼に到達されていない。特に、少人数で鑑賞する場合には、発光光の大半が鑑賞者の眼以外の場所に到達されている。
このように、従来の自発光型ディスプレイにおいては、無駄な発光光が多く、これが特に消費電力の増大を招いていると考えられる。
【０００４】
本発明は、上述する問題点に鑑みてなされたもので、自発光ディスプレイにおける消費電力を低減させることを目的とする。
【課題を解決するための手段】
【０００５】
上記目的を達成するために、本発明の画像表示装置は、自発光する画素を複数備え、上記画素を選択的に発光させることによって画像を表示する画像表示装置であって、複数の小発光部に分割して形成される上記画素と、上記小発光部の上記画素内における配置位置に応じた所定の角度方向に上記小発光部の発光光を射出する射出方向選択手段と、鑑賞者の位置を示す鑑賞者位置情報に基づいて、上記発光光が上記鑑賞者に到達可能な上記小発光部のみを選択的に発光させる制御手段と、を備えることを特徴とする。
【０００６】
このような特徴を有する本発明の画像表示装置によれば、画素が複数の小発光部に分割されているとともに、小発光部の発光光がその小発光部の画素内における配置位置に応じた所定の角度方向に射出される構成とされている。そして、鑑賞者の位置を示す鑑賞者位置情報に基づいて、発光光が鑑賞者に到達可能な小発光部のみが選択的に発光される。
つまり、従来の画像表示装置において鑑賞者に到達されずに無駄となっていた発光光を本発明の画像表示装置においては発光しなくて済む。このため、従来の画像表示装置と比較して装置全体の発光量を大きく低減することが可能となる。したがって、本発明の画像表示装置によれば、自発光ディスプレイにおける消費電力を低減させることが可能となる。
【０００７】
また、本発明の画像表示装置においては、上記鑑賞者位置情報を取得する鑑賞者位置検出手段を備えるという構成を採用することができる。
このような構成を採用することによって、鑑賞者位置情報を自動で取得することが容易に鑑賞者の位置を検出することが可能となる。
【０００８】
また、本発明の画像表示装置においては、複数の上記小発光部は互いに異なる色の上記発光光を発光可能な複数のグループに分けられており、所定の一箇所の上記鑑賞者に対して、各上記グループを構成するいずれか１つの上記小発光部の上記発光光が到達可能とされているという構成を採用することができる。
このような構成を採用することによって、鑑賞者がいずれの位置にいる場合であっても、全ての色の発光光を鑑賞者に到達させることが可能となる。
例えば、複数の小発光部が赤色系の発光光を発光するグループと、緑色系の発光光を発光するグループと、青色系の発光光を発光するグループとに分けられている場合には、鑑賞者がいずれの位置にいる場合であっても、赤色系の発光光と、緑色系の発光光と、青色系の発光光との全てが鑑賞者に対して到達される。このため、鑑賞者がいずれの位置にいる場合であっても、鑑賞者にフルカラーの画像を提供することが可能となる。
【０００９】
また、本発明の画像表示装置においては、上記グループは、各々少なくとも５つ以上の上記小発光部を備えるという構成を採用することが好ましい。
このような構成を採用することによって、従来の画像表示装置が備える１画素における発光量よりも本発明の画像表示装置が備える１画素における発光量を明らかに低減させることが可能となり、より効率的に自発光ディスプレイにおける消費電力を低減させることが可能となる。
【００１０】
なお、本発明の画像表示装置においては、複数の上記グループが、上記画素内において鉛直方向に沿って配列されているという構成を採用することができる。
また、複数の上記グループが、上記画素内において水平方向に配列されているという構成を採用することもできる。
【００１１】
また、本発明の画像表示装置においては、同一の上記グループにおいて隣合う上記小発光部の両方の上記発光光が所定の一箇所の上記鑑賞者に対して到達される場合の輝度と、同一の上記グループにおいて隣合う上記小発光部のいずれかの上記発光光が所定の一箇所の上記鑑賞者に対して到達される場合の輝度との差が５０％以内とされているという構成を採用することができる。
鑑賞者が鑑賞中に位置を変えた場合には、同一のグループにおいて隣合う小発光部の両方の発光光が鑑賞者に到達可能な状態（その両方の小発光部が発光される）から、同一のグループにおいて隣合う小発光部のいずれか一方の発光光が鑑賞者に到達可能な状態（一方の発光光を発光する小発光部のみ発光される）に変化すること、またはその逆がある。このような場合には、鑑賞者に到達する発光光の輝度が変化することとなるため、本発明のように、上述のように状態が変わった場合における発光光の輝度の差を５０％以内とすることによって、輝度変化による違和感を鑑賞者に与えることを抑止することができる。
【００１２】
また、本発明の画像表示装置においては、所定の一箇所の上記鑑賞者に対して上記発光光が到達可能な上記小発光部のうち少なくとも一部が、同一直線に沿って配列されているという構成を採用することができる。
所定の一箇所にいる鑑賞者に対して発光光が到達可能な小発光部は常に同じである。このため、上述のような構成を採用することによって、同一直線に沿って配列される複数の小発光部を同一ラインにて同時に制御することが可能となる。したがって、制御系を簡略化することが可能となる。
【００１３】
また、本発明の画像表示装置においては、上記射出方向選択手段が、画像表示面における端部方向に移動するに従って上記小発光部の上記発光光を上記表示面の中心軸寄りに射出するという構成を採用することができる。
本発明の画像表示装置において、鑑賞可能な範囲は、全ての画素から射出可能な発光光が到達可能な範囲である。つまり、表示面の中央に位置する画素から射出される発光光の到達範囲より外側に、表示面の端部近傍に位置する画素から射出される発光光が到達可能とされていてもその発光光は無駄となる。そこで、上述のような構成を採用することによって、表示面の端部近傍に位置する画素から射出される発光光を、表示面の中央に位置する画素から射出される発光光の到達範囲内に効率的に集めることができ、鑑賞可能範囲を無駄なくカバーすることが可能となる。
【００１４】
なお、本発明の画像表示装置においては、具体的には、上記射出方向選択手段が、シリンドリカルレンズであるという構成を採用することができる。
【００１５】
また、本発明の画像表示装置においては、上記小発光部の発光強度が可変とされているという構成を採用することができる。
例えば、表示面の中央に位置する画素から鑑賞者までの距離と表示面の端部近傍に位置する画素から鑑賞者までの距離とが異なる場合には、両方の画素において同じ輝度の発光光が発光された場合には、鑑賞者にとっては、距離が異なるために画像の明るさが異なって見える。
そこで、上述のような構成を採用することによって、各小発光部の発光強度を変化させることが可能となり、例えば、鑑賞者に対して明るさが均一な画像を提供することができる。
【００１６】
なお、本発明の画像表示装置においては、具体的には、上記小発光部が有機ＥＬ素子によって構成されているという構成を採用することができる。
【００１７】
また、本発明の画像表示装置においては、上記画素と上記射出方向選択手段との相対的な位置が移動可能とされているという構成を採用することができる。
このような構成を採用することによって、画素と射出方向選択手段とを相対的に移動させることができる。そして、画素と射出方向選択手段とを相対的に移動させた場合には、全ての小発光部から発光された発光光の射出方向が移動距離に応じて変化する。このため、鑑賞者が同一の箇所にいる場合において、移動させる前と後とで発光させる小発光部が変化する。したがって、例えば、小発光部を発光量によって寿命が左右される素子によって構成するような場合には、特定の小発光部のみを酷使する状態を回避し、複数の小発光部の使用が可能となる。このため、小発光部の寿命を長くすることが可能となる。
【発明を実施するための最良の形態】
【００１８】
以下、図面を参照して、本発明に係る画像表示装置の一実施形態について説明する。なお、以下の図面において、各部材を認識可能な大きさとするために、各部材の縮尺を適宜変更している。
【００１９】
（第１実施形態）
図１は、本実施形態の画像表示装置Ｓの概略構成を模式的に示した斜視図である。この図に示すように、本実施形態の画像表示装置Ｓは、自発光型ディスプレイ１と、センサ２と、制御装置３（制御手段）とを備えている。
なお、図１においては、説明の便宜上、自発光型ディスプレイ１と、センサ２と、制御装置３とを別体で示しているが、自発光型ディスプレイ１と、センサ２と、制御装置３とが一体形成されていても良い。例えば、自発光型ディスプレイ１の筐体の内部に制御装置３を収納し、自発光型ディスプレイ１の筐体によってセンサ２を支持する構成としても良い。
【００２０】
自発光型ディスプレイ１は、自発光する画素を複数備えてなる表示部１１を有している。なお、本実施形態において、自発光型ディスプレイ１は、説明を容易にするため表示部１１が横６４０×縦４８０の画素によって形成される、いわゆるＶＧＡ型のディスプレイとする。しかしながら、本発明は、これに限定されるものではなく、解像度の高いディスプレイ等様々な解像度のディスプレイを用いることも可能である。
【００２１】
図２は、自発光ディスプレイ１の表示部１１の一部を模式的に拡大した正面図である。なお、図２においては、横４×縦４の画素４しか示されていないが、実際は、上述のように、自発光ディスプレイ１の表示部１１（図１参照）において、横６４０×縦４８０の画素４がマトリックス状に配置されている。そして、本実施形態の画像表示装置Ｓにおいては、図２に示すように、各画素４が複数の小発光部５に分割されている。なお、小発光部５としては、電流が供給されることによって発光する有機機能層を備える有機ＥＬ素子を用いることができる。
複数の小発光部５は、赤色系の発光光を発光する赤色グループ５Ｒと、緑色系の発光光を発光する緑色グループ５Ｇと、青色系の発光光を発光する青色グループ５Ｂとに分けられている。そして、赤色グループ５Ｒと緑色グループ５Ｇと青色グループ５Ｂとが１画素内において鉛直方向（図２における紙面上下方向）に配列されている。また、各グループ５Ｒ，５Ｇ，５Ｂは、水平方向（図２における紙面左右方向）に配列された１３個の小発光部５によって構成されている。
【００２２】
このように構成される表示部１１上には、図２に示すように、レンチキュラレンズ６が設置されている。
レンチキュラレンズ６は、鉛直方向に延在するシリンドリカルレンズ６１（射出方向選択手段）が水平方向に複数配列されることによって構成されている。なお、各シリンドリカルレンズ６１は、各画素４の横幅に相当する幅を有しており、１つのシリンドリカルレンズ６１につき１列（４８０個）の画素４を覆うように配置されている。
【００２３】
シリンドリカルレンズ６１は、小発光部５の画素内における水平方向の配置位置に応じてその発光光の射出方向を水平方向に角度をずらして射出するものである。
具体的には、図３に示すように、例えば３２０番目の中央の画素列では水平方向に１３個並んだ小発光部５のうち、最も左寄りの１番目の小発光部５０１から射出された発光光Ｌ１は、シリンドリカルレンズ６１によって、表示面１２に対して紙面左回りに１４５°〜１５５°の範囲に射出される。また、２番目の小発光部５０２から射出された発光光Ｌ２は、表示面１２に対して１３５°〜１４５°の範囲に射出される。また、３番目の小発光部５０３から射出された発光光Ｌ３は、表示面１２に対して１２５°〜１３５°の範囲に射出される。また、４番目の小発光部５０４から射出された発光光Ｌ４は、表示面１２に対して１１５°〜１２５°の範囲に射出される。また、５番目の小発光部５０５から射出された発光光Ｌ５は、表示面１２に対して１０５°〜１１５°の範囲に射出される。また、６番目の小発光部５０６から射出された発光光Ｌ６は、表示面１２に対して９５°〜１０５°の範囲に射出される。また、７番目の小発光部５０７から射出された発光光Ｌ７は、表示面１２に対して８５°〜９５°の範囲に射出される。また、８番目の小発光部５０８から射出された発光光Ｌ８は、表示面１２に対して７５°〜８５°の範囲に射出される。また、９番目の小発光部５０９から射出された発光光Ｌ９は、表示面１２に対して６５°〜７５°の範囲に射出される。また、１０番目の小発光部５１０から射出された発光光Ｌ１０は、表示面１２に対して５５°〜６５°の範囲に射出される。また、１１番目の小発光部５１１から射出された発光光Ｌ１１は、表示面１２に対して４５°〜５５°の範囲に射出される。また、１２番目の小発光部５１２から射出された発光光Ｌ１２は、表示面１２に対して３５°〜４５°の範囲に射出される。また、１３番目の小発光部５１３から射出された発光光Ｌ１３は、表示面１２に対して２５°〜３５°の範囲に射出される。
【００２４】
なお、本実施形態の画像表示装置Ｓにおいては、同じ構成を有する画素４がマトリックス状に配列されており、シリンドリカルレンズ６１は、鉛直方向に延在されているため、同列に位置する小発光部５から射出された発光光は、同一の角度方向に向けて射出される。例えば、図２の紙面左側から３００番列目に設置された画素４における左から５番目に位置する小発光部５の発光光は全て同一の角度方向に射出される。
【００２５】
このような構成を有することによって、図４に示す、ａ領域が発光光Ｌ１が到達可能な領域となり、ｂ領域が発光光Ｌ２が到達可能な領域となり、ｃ領域が発光光Ｌ３が到達可能な領域となり、ｄ領域が発光光Ｌ４が到達可能な領域となり、ｅ領域が発光光Ｌ５が到達可能な領域となり、ｆ領域が発光光Ｌ６が到達可能な領域となり、ｇ領域が発光光Ｌ７が到達可能な領域となり、ｈ領域が発光光Ｌ８が到達可能な領域となり、ｉ領域が発光光Ｌ９が到達可能な領域となり、ｊ領域が発光光Ｌ１０が到達可能な領域となり、ｋ領域が発光光Ｌ１１が到達可能な領域となり、ｌ領域が発光光Ｌ１２が到達可能な領域となり、ｍ領域が発光光Ｌ１３が到達可能な領域となる。
【００２６】
このように、本実施形態の画像表示装置Ｓにおいては、上述のような画素列とシリンドリカルレンズ６１とが水平方向に配列されることによって表示部１１が形成されているとも言える。
【００２７】
図５は、画素４の駆動方法を説明するための図である。この図に示すように、本実施形態の画像表示装置Ｓには、赤色グループに画像信号を供給するための駆動回路１０と、緑色グループに画像信号を供給するための駆動回路２０と、青色グループに画像信号を供給するための駆動回路３０とが画素マトリックスの１行ごとに設置されている。そして、１つの駆動回路１０によって、その行に位置する全ての赤色グループに対して画像信号が供給可能とされている。また、１つの駆動回路２０によって、その行に位置する全ての緑色グループに対して画像信号が供給可能とされている。また、１つの駆動回路３０によって、その行に位置する全ての青色グループに対して画像信号が供給可能とされている。なお、これらの駆動回路１０，２０，３０に対しては、不図示のドライバを介して画像信号が供給される。
また、選択信号を各画素に供給するための選択回路４０が画素マトリックスの１列ごとに設置されている。そして、１つの選択回路４０によってその列に位置する全ての画素４に対して選択信号が供給可能とされている。なお、これらの選択回路４０に対しては、不図示のドライバを介して選択信号が供給される。
また、選択回路４０の内部には、外部から供給される選択信号をその画素内の複数の小発光部５に対して選択的に振り分けるためのスイッチング素子Ｓｗ１〜Ｓｗ１３が設置されている。これらのスイッチング素子Ｓｗ１〜Ｓｗ１３のｏｎ／ｏｆｆによって、画素内における何列目の小発光部５に対して選択信号が供給されるかが選択される。そして、１つのスイッチング素子がｏｎされた場合には、そのスイッチング素子に対応する列に位置する全ての小発光部５に対して選択信号が供給される。なお、これらのスイッチング素子Ｓｗ１〜Ｓｗ１３のｏｎ／ｏｆｆは、後に詳説する制御装置３によって制御される。
【００２８】
ここで、本実施形態の画像表示装置Ｓ１においては、同列に位置する画素４が鉛直方向に延在するシリンドリカルレンズ６１によって覆われているため、同列に位置する小発光部５から射出された発光光は、同一の角度方向に向けて射出される。逆に言えば、同一の角度方向に向けて発光光が射出される小発光部５は、同列すなわち同一直線に沿って配列されている。したがって、いずれかのスイッチング素子Ｓｗ１〜Ｓｗ１３がｏｎされると、同一の角度方向に向けて発光光が射出される小発光部５の全てに対して選択信号が供給される。このように、本実施形態の画像表示装置Ｓにおいては、同一直線に沿って配列される複数の小発光部５を同一ラインで接続し、１つのスイッチング素子によって制御することが可能となる。したがって、制御装置を簡略化することが可能となる。
【００２９】
そして、本実施形態の画像表示装置Ｓ１では、画像信号と選択信号との両方が供給された場合に、その小発光部５が発光される構造とされている。
センサ２は、鑑賞者の位置情報を含む信号を出力するものであり、本発明の鑑賞者位置検出手段の一部を構成するものである。このセンサ２としては、赤外線センサ、カメラあるいは鑑賞者が装着するマーカーを検出する検出センサ等を用いることができる。
【００３０】
制御装置３は、センサ２から入力される信号に基づいて鑑賞者の位置（検出結果）を算出する機能と、鑑賞者の位置に基づいて、鑑賞者に対して発光光が到達可能な小発光部５のみを選択的に発光させる機能との両方を備えている。すなわち、制御装置３は、本発明の鑑賞者位置検出手段の一部を構成するとともに、本発明の制御手段を構成している。なお、本発明の鑑賞者位置検出手段は、センサ２及び制御装置３によって構成される。
【００３１】
ここで、鑑賞者に対して発光光が到達可能な小発光部５のみを選択的に発光させる具体的な方法の一例について説明する。
【００３２】
例えば、図６に示すような位置に鑑賞者が位置している場合には、表示部１１の最も左寄りに位置する画素列（１列目）にしてみれば、鑑賞者は３番目の小発光部５０３の発光光の到達可能範囲に鑑賞者が位置していることとなる。また、表示部１１の中央に位置する画素列（３２０列目）にしてみれば、鑑賞者は８番目の小発光部５０８の発光光の到達可能範囲及び９番目の小発光部５０９の発光光の到達可能範囲に位置していることとなる。また、表示部１１の最も右寄りに位置する画素列（６４０列目）にしてみれば、鑑賞者は１２番目の小発光部５１２の発光光の到達可能範囲に位置していることとなる。
このため、鑑賞者に対して画像を提供するには、図６に示すような位置に鑑賞者が位置している場合には、最も左寄りに位置する画素列の３番目の小発光部５０３が発光され、中央に位置する画素列の８番目の小発光部５０８及び９番目の小発光部５０８，５０９が発光され、最も左側に位置する画素列の１２番目の小発光部５１２が発光されれば良い。
したがって、制御装置３によって、最も左寄りに位置する画素列に対して設置されたスイッチング素子Ｓｗ１〜Ｓｗ１３のうち小発光部５０３に対応するスイッチング素子Ｓｗ３がｏｎにされ、中央に位置する画素列に対して設置されたスイッチング素子Ｓｗ１〜Ｓｗ１３のうち小発光部５０８，５０９に対応するＳ８，Ｓ９がｏｎにされ、最も右寄りに位置する画素列に対して設置されたスイッチング素子Ｓｗ１〜Ｓｗ１３にうち小発光部５１２に対応するスイッチング素子Ｓｗ１２がｏｎにされ、さらに各小発光部５０３，５０８，５０９，５１２に対して画像信号が供給されれば良い。
ここで、図６に示す鑑賞者の位置は、最も左寄りに位置する画素列にしてみれば自らに対して角度θａに位置することなり、中央に位置する画素列にしてみれば自らに対して角度θｂに位置することなり、最も右寄りに位置する画素列にしてみれば自らに対して角度θｃに位置することになる。
θａ〜θｃはセンサ２から入力される信号から算出することができるため、制御装置３は、最も左寄りに位置する画素列用として角度θａとスイッチング素子Ｓｗ３とが対応付けられたＬＵＴ（ｌｏｏｋ  ｕｐ  ｔａｂｌｅ）あるいは関数を予め記憶し、中央に位置する画素列用として角度θｂとスイッチング素子Ｓｗ８，Ｓ９とが対応付けられたＬＵＴあるいは関数を予め記憶し、最も右寄りに位置する画素列用として角度θｃとスイッチング素子Ｓｗ１２とが対応付けられたＬＵＴあるいは関数を予め記憶していれば良い。
具体的には、例えば、図７に示すような、角度に対応付けられたスイッチング素子のｏｎ／ｏｆｆ情報（発光位置情報）を制御装置３が予め記憶していれば良い。
【００３３】
そして実際には、全ての画素列に対して、図７に示すような角度に対応付けられた発光位置情報が必要となる。
そこで、制御装置３に、角度に対応付けられた発光位置情報を画素列ごとにＬＵＴや関数として記憶させておく。そして、鑑賞者の位置に基づいて各画素列に対する鑑賞者の角度を算出し、この算出した角度に応じた発光位置情報を取得する。そして、この取得した発光部位置情報に基づいて、対応する画素列に対して設けられたスイッチング素子Ｓｗ１〜Ｓｗ１３のｏｎ／ｏｆｆを制御することによって、発光光が鑑賞者に到達可能な小発光部５のみを選択的に発光させることが可能となる。
【００３４】
次に、このように構成された本実施形態の画像表示装置Ｓの動作について図８のフローチャートを参照して説明する。
【００３５】
図８のフローチャートに示すように、本実施形態の画像表示装置Ｓにおいては、まず、鑑賞者の位置が取得される（ステップＳ１）。
具体的には、例えば、制御装置３がセンサ２から入力される信号に基づいて、鑑賞者の位置座標を算出する。なお、本実施形態においては、鑑賞者から見て最も左側の画素列を原点とし、表示面１２の法線方向をｚ方向、鑑賞者から見て右手方向がｘ方向とし、制御装置３は、鑑賞者の位置座標Ｐ（ｘｐ，ｚｐ）（鑑賞者の位置を示す鑑賞者位置情報）を取得するものとする。
【００３６】
続いて、制御装置３が、鑑賞者の位置座標から各画素列に対する鑑賞者の角度を算出する（ステップＳ２）。
具体的には、鑑賞者の位置座標Ｐ（ｘｐ，ｚｐ）を用いて下式（１）からｋ列目の画素列に対する鑑賞者の角度θｋを算出する。
ｔａｎθｋ＝ｚｐ／（ｘｐ−ｄｋ）……（１）
なお、式（１）において、ｄは画素列の幅を示している。
式（１）を用いることによって、制御装置３は、全ての画素列に対して鑑賞者が角度何度の位置にいるかを算出することができる。
【００３７】
次に、制御装置３が、ステップＳ２において算出した各画素列に対する鑑賞者の角度に基づいて、角度に対応付けられたスイッチング素子のｏｎ／ｏｆｆ情報である発光位置情報を画素列ごとに取得する（ステップＳ３）。
具体的には、制御装置３が、角度に対応付けられた発光位置情報（図７参照）をＬＵＴあるいは関数として記憶されており、このＬＵＴあるいは関数から画素列ごとの発光位置情報を取得する。
例えば、最も左側の画素列（１列目）に対する鑑賞者の角度が４０°である場合には、図７の関係表からスイッチング素子Ｓｗ３をｏｎにすることを示す発光位置情報が取得される。
また、中央の画素列（３２０列目）に対する鑑賞者の角度が１２５°である場合には、図７の関係表からスイッチング素子Ｓｗ８及びスイッチング素子Ｓｗ９をｏｎにすることを示す発光位置情報が取得される。
また、最も右側の画素列（６４０列目）に対する鑑賞者の角度が１４０°である場合には、図７の関係表からスイッチング素子Ｓｗ１２をｏｎにすることを示す発光位置情報が取得される。
【００３８】
そして、制御装置３がステップＳ３において取得した画素列ごとの発光位置情報を、各画素列に対して設置された選択回路４０に供給し、各選択回路４０内のスイッチング素子Ｓｗ１〜Ｓｗ１３のｏｎ／ｏｆｆを制御する（ステップＳ４）。
これによって、鑑賞者に対して到達可能な発光光を発光する小発光部５のみが発光される。なお、実際には、鑑賞者に対して到達可能な発光光を発光する小発光部５の全てが発光可能状態とされるが、そのうち実際に発光されるのは、駆動回路１０，２０，３０から画像信号が供給されたものだけである。
【００３９】
そして、以上のステップＳ１〜Ｓ４が終了すると、再びステップＳ１に戻り、鑑賞者の位置座標が更新される。
なお、本実施形態においては、ステップＳ２において全ての画素列に対する鑑賞者の角度を算出し、ステップＳ３において全ての画素列に対して発光位置情報を取得し、ステップＳ４において全ての選択回路４０内のスイッチング素子Ｓｗ１〜Ｓｗ１３のｏｎ／ｏｆｆを制御した。しかしながら、これに限定されるものではなく、画素列１つに対してステップＳ２〜Ｓ４を行った後、異なる画素列に対してステップＳ２〜Ｓ４を行い、全ての画素列に対してステップＳ２〜Ｓ４が終了したら再びＳ１に戻っても良い。
【００４０】
また、鑑賞者が複数いる場合には、ステップＳ１において、複数の鑑賞者の位置座標を取得し、これらの複数の位置座標に対してステップＳ２〜ステップＳ４を行う。
【００４１】
このような本実施形態の画像表示装置Ｓによれば、画素４が複数の小発光部５に分割されているとともに、小発光部５の発光光がその小発光部５の画素４内における配置位置に応じた所定の角度方向に射出される構成とされている。そして、鑑賞者の位置が検出され、この検出結果に基づいて、鑑賞者に対して発光光が到達可能な小発光部のみが選択的に発光される。
つまり、従来の画像表示装置において鑑賞者に到達されずに無駄となっていた発光光を本実施形態の画像表示装置Ｓにおいては発光しなくて済む。このため、従来の画像表示装置と比較して装置全体の発光量を大きく低減することが可能となる。したがって、本実施形態の画像表示装置Ｓによれば、自発光ディスプレイにおける消費電力を低減させることが可能となる。
【００４２】
また、本実施形態の画像表示装置Ｓによれば、複数の小発光部５が赤色グループ５Ｒと、緑色系の発光光を発光する緑色グループ５Ｇと、青色系の発光光を発光する青色グループ５Ｂとに分けられている。そして、鑑賞者に対して、各グループを構成するいずれか１つの小発光部５の発光光が到達可能とされている。このため、鑑賞者がいずれの位置にいる場合であっても、鑑賞者にフルカラーの画像を提供することが可能となる。
また、本実施形態の画像表示装置Ｓにおいては、各グループ５Ｒ，５Ｇ，５Ｂが各々１３個の小発光部５を備えている。このため、従来の画像表示装置が備える１画素における発光量よりも本実施形態の画像表示装置Ｓが備える１画素における発光量を明らかに低減させることが可能となり、より効率的に自発光ディスプレイにおける消費電力を低減させることが可能となる。
【００４３】
なお、本実施形態の画像表示装置Ｓにおいては、鑑賞者の位置が移動した場合すなわち鑑賞者が鑑賞中に位置を変えた場合には、図９に示すような同一のグループにおいて隣合う小発光部５の両方の発光光が鑑賞者に到達可能な状態（その両方の小発光部が発光される）から、図１０に示すような同一のグループにおいて隣合う小発光部のいずれか一方の発光光が鑑賞者に到達可能な状態（一方の発光光を発光する小発光部のみ発光される）に変化すること、またはその逆がある。
そして、前述の状態の輝度と、後述の状態の輝度とが大きい場合には、フリッカーの原因となる。このため、前述の状態の輝度と、後述の状態の輝度との差を５０％以内にすることが好ましい。これによって、輝度変化による違和感を鑑賞者に与えることを抑止することができる。
【００４４】
また、本実施形態の画像表示装置Ｓにおいては、鑑賞可能範囲が、全ての画素４から射出可能な発光光が到達可能な範囲である。つまり、表示面１２の中央に位置する画素４から射出される発光光の到達範囲より外側に、表示面１２の端部近傍に位置する画素４から射出される発光光が到達可能とされていても、その領域には表示面１２の中央に位置する画素４から射出される発光光が到達できないため、その発光光は無駄となる。
したがって、図１１に示すように、表示面１２の端部に近づくに従って、小発光部５の発光光を表示面の中心軸Ｌ（表示面中心の法線）寄りに射出することによって、表示面１２の中央に位置する画素から射出される発光光の到達範囲内に効率的に集めることができ、鑑賞可能範囲を無駄なくカバーすることが可能となる。
具体的には、シリンドリカルレンズ６１の形状を変化させることによって、表示面１２の端部に近づくに従って、小発光部５の発光光を表示面の中心軸Ｌ（表示面中心の法線）寄りに射出することが可能となる。
なお、このように、表示面１２の端部に近づくに従って、小発光部５の発光光を表示面の中心軸Ｌ寄りに射出する場合には、端部近傍に位置する小発光部５の発光光の到達範囲がずれることとなる。したがって、制御装置３に予め記憶されるＬＵＴや関数にオフセットを持たせる必要がある。例えば、表示面１２の最も左側の画素列（１列目）から射出される発光光が中心軸Ｌ方向に＋１０°寄せられて射出する場合には、表示面１２の中央の画素列（３２０列目）用に記憶されているＬＵＴや関数に対して図１２に示すように、＋１０°のオフセットを持たせたＬＵＴあるいは関数を、表示面１２の最も左側の画素列（１列目）用に記憶する必要がある。また、表示面１２の最も右側の画素列（６４０列目）から射出される発光光が中心軸Ｌ方向に−１０°寄せられて射出する場合には、表示面１２の中央の画素列（３２０列目）用に記憶されているＬＵＴや関数に対して図１３に示すように、−１０°のオフセットを持たせたＬＵＴあるいは関数を、表示面１２の最も右側の画素列（６４０列目）用に記憶する必要がある。
【００４５】
（第２実施形態）
次に、本発明の第２実施形態について説明する。なお、本第２実施形態の説明において、上記第１実施形態と同様の部分については、その説明を省略あるいは簡略化する。
【００４６】
図１４は、本第２実施形態の画像表示装置における自発光ディスプレイ１の表示部１１の一部を模式的に拡大した正面図である。なお、図１４においては、横４×縦６の画素４しか示されていないが、実際は、上述のように、自発光ディスプレイ１の表示部１１において、横６４０×縦４８０の画素４がマトリックス状に配置されている。
この図に示すように、本実施形態の画像表示装置においても、１画素４が複数の小発光部５に分割されている。複数の小発光部５は、赤色系の発光光を発光する赤色グループ５Ｒと、緑色系の発光光を発光する緑色グループ５Ｇと、青色系の発光光を発光する青色グループ５Ｂとに分けられており、赤色グループ５Ｒと緑色グループ５Ｇと青色グループ５Ｂとが１画素内において水平方向に配列されている。なお、本実施形態の画像表示装置においても、上記第１実施形態の画像表示装置と同様に、各グループ５Ｒ，５Ｇ，５Ｂは、水平方向に配列された１３個の小発光部５によって構成されている。
【００４７】
また、本実施形態の画像表示装置においては、シリンドリカルレンズ６１が画素列ごとではなく、グループ列ごとに設置されている。また、グループ列ごとに選択回路４０が設置されている。
【００４８】
このような構成を有する本実施形態画像表示装置によれば、グループごとに小発光部５の発光が制御可能となる。また、各グループが各々シリンドリカルレンズ６１によって覆われている。
例えば、鑑賞者が隣合う２つの小発光部の発光光が到達可能な位置にいた場合に、上記実施形態の画像表示装置においては６個の小発光部を発光させる必要があった。これに対して、本実施形態の場合には、赤色グループから射出される発光光と緑色グループから射出される発光光と青色グループから射出される発光光との射出方向が微妙にずれているため、鑑賞者の位置が全てのグループに対して、隣合う２つの小発光部の発光光が到達可能な位置となることはなく、小発光部の発光させる数を減少させることが可能となる。
【００４９】
また、本実施形態の画像表示装置においては、同一色の発光光を発光するグループごとにシリンドリカルレンズが設置されている。このため、シリンドリカルレンズをその発光光の色に応じて形成することが可能となり、色収差の影響を低減させることが可能となる。
【００５０】
以上、添付図面を参照しながら本発明に係る画像表示装置の好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００５１】
例えば、上記実施形態においては、小発光部５のｏｎとｏｆｆとのみを制御した。しかしながら、本発明はこれに限定されるものではなく、スイッチング素子を例えば可変抵抗に代え、この可変抵抗の抵抗値を変化させることによって、小発光部５の発光強度を制御しても良い。
【００５２】
また、上記実施形態の画像表示装置において、表示面１２に対してレンチキュラレンズ６が水平方向に移動可能とされていても良い。このようにレンチキュラレンズ６を表示面に対して移動させた場合には、小発光部から発光された発光光の射出方向がレンチキュラレンズ６の移動距離に応じて変化する。このため、鑑賞者が同一の箇所にいる場合において、移動させる前と後とで発光させる小発光部が変化する。したがって、例えば、小発光部が発光量によって寿命が左右される有機ＥＬ素子である場合には、特定の小発光部のみを酷使する状態を回避し、複数の小発光部の使用が可能となる。このため、小発光部の寿命を長くすることが可能となる。なお、レンチキュラレンズ６を水平方向に移動可能とした場合において、表示部１１において画素列を少なくも１列増やすことが好ましい。
【００５３】
また、上記実施形態の画像表示装置においては、発光光の指向性を水平方向のみに付与しているため、射出方向選択手段としてレンチキュラレンズを用いた。しかしながら、射出方向選択手段として、画素ごとにマイクロレンズを設置し、画素内を水平方向及び鉛直方向に小発光部を配列することによって、水平方向及び鉛直方向に発光光の指向性を付与することもできる。
【００５４】
また、例えば、いくつ小発光部５が発光されているのかに応じて、消費電力や省エネ率を表示することで、鑑賞者に対して情報を提供する構成としても良い。
【００５５】
また、上記実施形態においては、制御装置３がセンサ２から入力される信号に基づいて、鑑賞者の位置座標を算出し、位置座標Ｐ（ｘｐ，ｚｐ）を取得した。しかしながら、本発明はこれに限定されるものではなく、例えば、鑑賞者が操作するリモコンを設置し、このリモコンの入力に基づいて、位置座標Ｐ（ｘｐ，ｚｐ）を取得しても良い。なお、例えば、鑑賞者の表示面１２からの距離が固定されているような場合には、Ｐ（ｚｐ）を固定とし、Ｐ（ｘｐ）のみをリモコンの入力に基づいて取得しても良い。
【００５６】
また、例えば映画館のように、鑑賞者の位置が座席によって一義的に決定される場合には、座席位置と位置座標Ｐ（ｘｐ，ｚｐ）とが対応付けられたテーブルを予め記憶し、このテーブルからＰ（ｘｐ，ｚｐ）を取得しても良い。
【図面の簡単な説明】
【００５７】
【図１】本発明の第１実施形態の画像表示装置Ｓの概略構成を模式的に示した斜視図である。
【図２】自発光ディスプレイ１の表示部１１の一部を模式的に拡大した正面図である。
【図３】各小発光部から射出される発光光の射出方向を説明するための図である。
【図４】各小発光部から射出される発光光の到達可能範囲を説明するための図である。
【図５】画素の駆動方法を説明するための図である。
【図６】鑑賞者に対して発光光が到達可能な小発光部のみを選択的に発光させる具体的な方法を説明するための説明図である。
【図７】鑑賞者に対して発光光が到達可能な小発光部のみを選択的に発光させる具体的な方法を説明するための説明図である。
【図８】本発明の第１実施形態の画像表示装置Ｓの動作を説明するためのフローチャートである。
【図９】本発明の第１実施形態の画像表示装置Ｓの動作を説明するための図である。
【図１０】本発明の第１実施形態の画像表示装置Ｓの動作を説明するための図である。
【図１１】本発明の第１実施形態の画像表示装置Ｓの変形例を説明するための図である。
【図１２】本発明の第１実施形態の画像表示装置Ｓの変形例を説明するための図である。
【図１３】本発明の第１実施形態の画像表示装置Ｓの変形例を説明するための図である。
【図１４】本発明の第２実施形態の画像表示装置が備える自発光ディスプレイ１の表示部１１の一部を模式的に拡大した正面図である。
【符号の説明】
【００５８】
Ｓ……画像表示装置、１……自発光ディスプレイ、２……センサ、３……制御装置（制御手段）、４……画素、５……小発光部、５Ｒ，５Ｇ，５Ｂ……グループ、６１……シリンドリカルレンズ（射出方向選択手段）
【図１】
0004497087.tif 000002
【図２】
0004497087.tif 000003
【図３】
0004497087.tif 000004
【図４】
0004497087.tif 000005
【図５】
0004497087.tif 000006
【図６】
0004497087.tif 000007
【図７】
0004497087.tif 000008
【図８】
0004497087.tif 000009
【図９】
0004497087.tif 000010
【図１０】
0004497087.tif 000011
【図１１】
0004497087.tif 000012
【図１２】
0004497087.tif 000013
【図１３】
0004497087.tif 000014
【図１４】
0004497087.tif 000015